(57)【要約】【課題】床用吸込具の回転ブラシにシートの自動的な装着、取り外しを可能とするのに役立つシートの案内トレーを備えた床用吸込み具をを提供する。【解決手段】吸込口６を下面に有する吸込具の本体ケース２内部に回転ブラシ３を収納し、塵埃吸着シート１２を前記床用吸込具の回転ブラシに巻き付けて装着可能な構成とする。前記本体ケースの前端部には、前カバー５下部を回動可能に軸支１０して設け、該前カバーが本体ケースの前壁として本体前方口を塞いでいる状態から前方に開放されとき、その円滑な内面側にて前記シートを回転ブラシに案内挿入する案内トレーとなるように構成する。【選択図】  図５
2004229953.tif 000002
【特許請求の範囲】
【請求項１】
横手方向に細長な吸込口を下面に有する吸込具の本体ケース内部に、前記吸込口に臨ませて回転ブラシを収納した構造の床用吸込具において、塵埃吸着シートを前記床用吸込具の回転ブラシに巻き付けて装着可能な構成とすると共に、前記本体ケースの前端部に、本体ケース両側下部に軸支されて上部が開閉自在に形成され、かつ、上部が開放されとき前記シートを回転ブラシに案内挿入する案内トレーとなる前カバーを設けたことを特徴とする床用吸込具。
【請求項２】
横手方向に細長な吸込口を下面に有する吸込具の本体ケース内部に、前記吸込口に臨ませて回転ブラシを収納した構造の床用吸込具において、塵埃吸着シートを前記床用吸込具の回転ブラシに巻き付けて装着可能な構成とすると共に、前記本体ケースの前端部に、前記シートを挿入するシート挿入口を設けたことを特徴とする床用吸込具。
【発明の詳細な説明】
【０００１】
【発明の属する技術分野】
本発明は電気掃除機の床用吸具に係わり、特に吸込具内の回転ブラシに塵埃吸着シートを装着して床面の拭き、磨きを行い、効率良く清掃ができる床用吸込具に関する。
【０００２】
【従来の技術】
従来の電気掃除機として床用吸込具内に、毛のブラシ又はゴム製のブレードを形成した回転ブラシを収納し、該回転ブラシが掃除機がけの時に回転駆動して床面の塵埃を掻き取り、掻き取った塵埃を吸引することで効率的に掃除ができるようにしたものが知られている。またこうした回転ブラシを持つ床用吸込具において、近年の住宅で増えている床面（フローリング）の居室の掃除に適した拭き掃除も行えるように、ゴミが付着し易いパイル状部材などの布部材を回転ブラシに螺旋状に貼着させた床用吸込具（例えば、特許文献１）や、回転ブラシのブレード部の先端に同様な布部材を設けた床用吸込具（例えば、特許文献２）なども提案されている。
【０００３】
【特許文献１】
特開平５−１９２２７１号公報
【特許文献２】
特開平１１−５６７０７号公報
【０００４】
【発明が解決しようとする課題】
しかしながら、上記特許文献１に開示されたものは、布部材が回転ブラシに貼り付けて設けてあるので、布部材はゴミ処理時に回転ブラシから取り外すには、剥がさねばならずその取り外し作業が面倒であった。また交換装着するときも、いちいち吸込具を裏返し、狭いケース部内空間で回転ブラシに布部材を巻き付ける作業が要り、しかも粘着性のある布部材を吸込具本体ケースなど回転ブラシ以外の箇所に貼り付かないよう注意しながら慎重に装着しなければならないといった困難さがあった。
【０００５】
また上記特許文献２に開示されたものは、回転ブラシのブレード部の先に、別途布ブレード部を形成したものであるため、複雑な構造の回転ブラシとなってしまい、また布ブレードが消耗し交換するときも回転ブラシ全体を交換する必要があるなどコスト的な面、および回転ブラシ自体の面倒な再装着など実用性の面でも十分とは言い難いものであった。
【０００６】
本発明は上記点に鑑みなされたもので、回転ブラシの回転により塵埃付着性のシートを回転ブラシに自動的に巻き付かせて装着が行え、この装着したシートの回転により拭き掃除と磨き効果とを行い清掃性を一層向上させるとと共に、特にシートの取付けを容易に行えるように図ったものである。
【０００７】
【課題を解決するための手段】
上記目的を達成するため、本発明は、横手方向に細長な吸込口を下面に有する吸込具の本体ケース内部に、前記吸込口に臨ませて回転ブラシを収納した構造の床用吸込具において、塵埃吸着シートを前記床用吸込具の回転ブラシに巻き付けて装着可能な構成とすると共に、前記本体ケースの前端部に、本体ケース両側下部に軸支されて上部が開閉自在に形成され、かつ、上部が開放されとき前記シートを回転ブラシに案内挿入する案内トレーとなる前カバーを設けたものである。
【０００８】
また本発明は、横手方向に細長な吸込口を下面に有する吸込具の本体ケース内部に、前記吸込口に臨ませて回転ブラシを収納した構造の床用吸込具において、塵埃吸着シートを前記床用吸込具の回転ブラシに巻き付けて装着可能な構成とすると共に、前記本体ケースの前端部に、前記シートを挿入するシート挿入口を設けたものである。
【０００９】
【発明の実施の形態】
図１から図２０において、電気掃除機の床用吸込具１は、上ケース２ａと下ケース２ｂから成って下面から前面にかけて広範囲に開口された吸込口６が形成された横長の吸込具本体ケース２と、吸込具本体ケース２内の長手方向両端に軸受部を介して回転自在に支持された回転ブラシ３と、吸込具本体ケース２の後面側に上記吸込口６と連通すると共に上下左右に回動自在に取り付けられたベンド４と、本体ケース１の前端部に回動自在に形成され、本体ケース１の前壁を構成すると共に、前方に開かれたときに後述する塵埃吸着用のシート１２を前記回転ブラシ３に巻き付ける際に該シートを挿入し易いように案内する案内トレーともなる前カバー５とから構成されており、ベンド４が図示しない延長管やホースを介して掃除機本体に接続されるようになっている。
【００１０】
そして、前記下ケース２ｂの底面後方に形成された溝には、横長な毛ブラシ９０が配設され、被掃除面に接触して清掃できるようになってている。また、前記毛ブラシ９０は、前記したケース２ｂに着脱可能な構造となっており、毛先が汚れてきた時は、下ケース２ｂから取り外して水洗できるようになっている。
【００１１】
上記回転ブラシ３には、図４〜図８等に示すように、その芯体７の外周面にブラシ体（またはブレード体）８が等分な角度間隔、例えば９０゜あるいは６０゜間隔で長手方向に複数本、螺旋状に形成されている。ブラシ体８の具体的な設け方は、その根本部を芯体７の外周面に形成した螺旋状の溝に嵌め込むことで取付けることができる。またブラシ体８は、図示はしないが、吸込具本体ケース２に内蔵されたブラシモータ（図示せず）によりその駆動力が伝導ベルトなどを介して伝達され回転駆動されるように構成されている。このブラシ体８が回転することで、床面の塵埃が掻き取られ、吸込口６から効果的に吸い込まれ効率よく掃除が行われる。
【００１２】
ところで、本発明では、上記吸込具１における回転ブラシ３は、布や紙、例えばキッチンペーパーなどの塵埃を吸着し得る吸着シート（以下、シートと略記する）１２を自動的に巻き付け拭き掃除することを可能としている。
【００１３】
このため、回転ブラシ３はシート１２が巻き付き易いように、図１５〜１７に示すような構成としている。すなわち、回転ブラシ３Ａは、長くて軟らかい２本の毛ブラシ１５ａを外側に、短くて硬い２本の毛ブラシ１５ｂを内側に配置した第１のブラシ体１５と、一番長い毛ブラシ１６ａを植設した第２ブラシ体１６と、二番目の長さの毛ブラシ１７ａを植設した第３ブラシ体１７の３種類のブラシ体からなる回転ブラシ３Ａで、その第１ブラシ体１５は、芯体７の外周面に１２０゜間隔で３列軸方向に沿って螺旋状に配置し、第２ブラシ体１６と第３ブラシ体１７は、上記第１ブラシ体１５を挟むようその間に配列している。また、このシート装着時には、回転ブラシ３をシート１２が破れたりしない適切な回転数に制御するようにしている。
【００１４】
これに対して、従来の回転ブラシ１４は、図１３に示すような、芯体７の外周に単に同一長さのブラシ体１３ｂが一定間隔（この場合９０゜）で設けられた一般的な構造の回転ブラシであって、ブラシ体１３ｂのある部分と無い部分とで段差Ｄがあり、シート１２が均一に巻き付き難い。また巻き付いても図１４に示すように、シート１２が角ばって巻き付けられ、拭き掃除がスムースに行われない上、ブラシ体１３ｂが根本部１３ｄから倒され、シート１２を除去した後もその変形したままとなり、ブラシ体１３ｂによる塵埃掻き取り効果が悪くなるという不具合があった。
【００１５】
しかし、上記した回転ブラシ３Ａによれば、シート１２の先端（前端）が回転ブラシ３Ａと接触すると、ブラシ３Ａの回転に伴いシート１２は引き込まれながらブラシ体１５〜１７の周りに絡み付いていく。シート１２が絡み付くとき、３種類あるブラシ体１５〜１７は、図１６に示すようにそれぞれがその毛の硬さ（軟さ）に応じた変形（曲がり方）をし、その毛先がシート１２内面に無理なく接触し、シート１２をいびつにならない丸い形を維持するようになる。これによってシート１２は丸く張った状態で巻き付けられる。また、第１ブラシ体１５においては、外側の長い毛ブラシ１５ａは直立状態が保たれその毛先がシート１２の内面に直角に突き当たるようになる。第１ブラシ体１５はこの場合１２０度間隔で３個配設されているので、このような全体的にシート１２の内側を３個のブラシ体１５が均等に３点支持している状況は、シート１２に張りを保たせ均一に巻き付けることに役立つ。また第１ブラシ体１５における短いブラシ体１５ｂは、シート１２との絡み付きに係わらないので、従来のようなブラシ体１３ｂのような根元が折れ曲がってしまうという不具合も生じない。
【００１６】
また先の第２、第３のブラシ体１６，１７が曲がる場合も、互いの両隣に上記第１から第３のいずれかの種類のブラシ体が間隔を大きく空けず（間隔を埋めるよう）に存在するので、それぞれのブラシ体１５〜１７はシート１２からの応力を分散して受け適度に曲がり、従来のようなブラシ体１３ｂの根元が極度に曲がるよう極端な変形をしなくなり、ブラシ体１５〜１７が極度に曲がって磨き効果が失なわれることも無くなる。また芯体７の周囲に、３種類のブラシ体１５〜１７を合計７個と数多く均等的に配置し、ブラシ体とブラシ体との間の段差Ｄを無くした回転ブラシ３Ａとしたことで、シート１２の張りを保った巻き付けも可能になる。
【００１７】
図１８に示す回転ブラシ３Ｂも、シート巻き付けを可能にする別の実施態様のものである。この場合は、回転ブラシ３Ｂの芯体７にリブ１８、１８を設けるようにしている。リブ１８、１８は、外向きハの字状に開いた二股状の形状物で、ブラシ体１９とブラシ体１９の間に存在するよう、芯体７の外周部に一体的に突出形成されている。なお、リブ１８、１８は芯体７と同心円的に形成され、かつその長さはブラシ体１９より短い長さに設定されている。このようにブラシ体１９間の空間２０を埋めるようにリブ１８、１８がある回転ブラシ３Ｂであれば、リブ１８、１８は従来の回転ブラシ１４のように、シート１２の巻き付きを阻害するブラシ体のある部分と無い部分にて生まれる段差を無くすものとなり、シート１２の均一な巻き付けが可能となる。
【００１８】
ところで、上記したような回転ブラシを用いシートを巻き付ける場合に、本発明では、本体ケース２の前部にある前カバー５を開くことによって、前カバー５の内面側がシート１２の案内トレーとなって、シート１２を回転ブラシ３に着実に導き、均一に巻き付き易いようにしている。
【００１９】
すなわち、図１に示すように、前カバー５は本体ケース２の前端部に、下部を軸部１０にて軸支され前後に回動可能な構造で取り付けられている。前カバー５は通常時、直立状態にあって、このときは、本体ケース２の前方口９を閉鎖し本体ケース２の前壁を構成している。なお、この本体ケース２の前壁となる前カバー５閉鎖時には、前カバー５をこの直立状態を保つように、適宜な固定手段（爪や凹凸部による係合手段など）により前カバー５と本体ケース２とは互いに固定されている。
【００２０】
前カバー５は、その上部を図３および図５に示すように、前方に回動して開くことができる。この開いた時には、カバー５内面側が滑らかに形成され、シート１２の案内面として役立つようになっている。すなわち、シート装着時、前カバー５を適当な傾斜角度になるように手で開くことができる。こうして開かれたとき、前カバー５はシート１２の案内トレーとなる。
【００２１】
この場合、前カバー５は本体ケース２との間で、或いは前記軸部１０周辺などにクリックモーション機構などを設けて、シート１２が挿入し易い傾斜角度範囲内で、随意な位置（開き角度）で保持固定されるような構成とすることができる。
【００２２】
前カバー５の内面側には、一様な高さでガイド側壁１１、１１が立設されている。この両側壁１１，１１によって、シート１２が真っ直ぐな姿勢で挿入されるよう規制され、案内される途中でシート１２が外側にずれ落ちたり、またシート１２が斜めになったりしないように防止されて、図３に示すように、真っ直ぐに正しい姿勢で案内される（送られる）ようになる。
【００２３】
従って、シート１２の装着に当たって、前カバー５上部を前方に回動し適当な傾斜角度で開いてその開き角度に保持すると、図５のような案内トレーとして利用できる状態になる。そこでシート１２をこの案内トレーの上に乗せ、シート先が回転ブラシ３のブラシ先に触れるようにセットした後、掃除機の運転スイッチを押し回転ブラシ３を回転させればよい。回転ブラシ３が回転すると、ブラシ先がシート１２と引掛っかり、シート１２は案内トレー上を奥へと移動して引っ張り込まれ、徐々に回転ブラシ３に絡み付いて行き、やがて巻き付けられ装着される。
【００２４】
このように本体ケース２の前壁となる前カバー５上部を手前に開きシート１２の案内トレーとなるので、事前にシートを回転ブラシの前で慎重に真っ直ぐな姿勢で合わせるという面倒なセット作業をしなくても、シート１２を案内トレーに挿入しさえすれば、シート１２は自動的にかつ真っ直ぐに送り込まれて回転ブラシ３に自然と均一に巻き付くようになり、シート装着が頗る簡単にまた熟練も要らずに誰でも容易に装着できるようになる。
【００２５】
シート１２が回転ブラシ３に巻き付いたら、前カバー５を閉める。これにて開方口９が塞がれ、回転ブラシに手が触れたりしないように防止され、安全となる。
【００２６】
こうして回転ブラシ３に均一な状態で巻き付けることができる。このシート１２が回転し、床磨き（拭き取り）がなされ高い清掃効果が得られる。
【００２７】
図６と図７は、他の実施例を示す。この場合は、本体ケース２の前部壁の下部にシート１２を挿入可能とする大きさのシート挿入口１３を開口形成する。そして、本体ケース２の前端部に、前記シート挿入口１３を前から塞ぐように、案内トレーを兼ねる前カバー５が下部を軸にて軸支されて前後に回動可能に設けられている。シート１２は前カバー５を手前に開け、現れるシート挿入口１３に差し込むことにより、回転ブラシ３巻き付かせることができる。
【００２８】
またこの構造によると、本体ケース２の前部は、シート挿入口１３の部分だけが開口していて、それ他の部分は本体ケース前壁２ｃが存在しているものなので、回転ブラシ３が回転しシート１２を巻き付けている最中に、シート挿入口１３から指などが入り難くなりり回転ブラシ３に触れたりしなくなるので安全性が増すと共に、異物が入ったり、入れらたりする悪戯なども防止できるようになる。なお、この場合も、前カバー５が閉鎖時にあるとき、また適宜な傾斜角度で開いているときに、その状態を保持するように、適宜な保持手段を設ける。なお、また前カバー５は、案内トレーを兼ねることなく、シート挿入口１３を蓋するだけのものであってもよい。
【００２９】
一方、シート１２として、図９のような、シート１２の後端を斜めにカットし三角形状にしたものや、図１０のようなシート１２の後端をＭ字形状にカットしたものを使うと、シート１２の端があばれ、床面を叩いて出る異音が減少される。
【００３０】
すなわち、シートとして一般的な長方形状のシートを巻き付けて運転した場合、シートの後方部（巻き終わりの端部）があばれたり、吸込口６にシート端部が吸いこまれることにより、異音が発生する。これに対し、上記シート１２のように先を三角形状若しくはＭ字形状とすると、シート端片部１２ｂ、１２ｃ，１２ｃは、床面やケース（吸込具本体ケース）とは当たり面積が小さい先部分だけとなり、従来の長方形状シートのように端部全体で床面を叩く現象は無くなるので、異常音の発生が抑えられる。またシート端部のあばれ（はためき）も抑えられる。
【００３１】
図１１および図１２は、シート１２の巻き付く先がくしゃくしゃになって巻かれないようにした別のシートを示す。
【００３２】
図１１のシート１２では、シート１２の前端部（巻き始め端）に、ひも２５を縫製や接着にて設けるようにした。この場合、ひも２５が回転ブラシ３の任意のブラシ体８に絡みつくことにより、前端部から着実に巻き付くようになる。
【００３３】
図１２のシート１２では、先端にワイヤー２６など硬い材質を縫い付け、先（巻き始め端）を硬い構造、すなわち硬質化した端縁部２７にしてある。この構成により、シート装着時には、このワイヤー２６などによりシート前方端部がピンと張ることで、前端部がくしゃくしゃにならず、回転ブラシ３に均一な状態で装着し、安定した巻き付けが行える。
【００３４】
このようにシート１２の形状を変えたり、回転ブラシ３への取り付け手段を設けたりして、シート１２が巻き付け易くなるが、回転ブラシ３のブラシ体（ブレード）８が図８に示すごとくのような一方向の螺旋形状のものの場合、シート１２を巻き付ける際あるいは巻き付け後運転を続けるに従って、シート１２が片側に偏ってしまい、拭き効果及び床磨き効果が低下する場合もある。
【００３５】
その点を考え、芯体７の周面にブラシ体（ブレード）８を設けるに当たって、図１９に示すように、芯体７を水平に見たときにブラシ体（ブレード）８がＶ字状になるような配置形態のものとすると良い。即ち、ブラシ体（ブレード）８を軸長手方向中央部に向かって一方向斜めに芯体７に巻き付けた形状とし、中央部から折り返して逆方向斜めに芯体７に巻き付けた形状に配置すると良い。
【００３６】
こうすると、ブラシ体８の表面に接して巻き付いているシート１２には、回転ブラシ３の回転により、Ｖ字型配置のブラシ体８から接触抵抗を受けるが、その抵抗分力としてシート１２を互いに引き伸ばす方向の力が左右に発生する。これによって、シート１２が一方へずれ動き偏り出すような不具合は防止される。よって、回転中もシート１２は正規の位置に巻き付き維持され、拭き掃除および磨き効果を十二分に得ることができる。
【００３７】
図２０は本体ケース２側に同様なシート引き伸ばし作用を及ぼすガイドリブ３０を設けた構成を示し、本体ケース２（上ケース２ａ）の内部壁面には、ブラシの上方部位を囲むごとくその回転軌跡に沿う形状のガイドリブ３０が形設されている。そして、このガイドリブ３０は、回転ブラシ３の軸長手方向中央部から両側方向に開くようなＶ字形状に配置形成されている。またガイドリブ３０は、その先が回転ブラシ３に巻き付いたシート１２に当たり合うほどに突出するような長さに設定されて形成されている。こうした形態で設けたガイドリブ３０によりシート１２が案内され、かつシート１２と当たる合うときに発生する接触抵抗にて、シート１２を引き伸ばす方向に作用する分力が生まれる。この結果、回転するシート１２の巻き付け時は勿論のこと、巻き付け後もピンとした張り状態が保たれると同時に、芯体７上を横ずれするようなことはなくなり、正規の位置に巻き付け保持される。このため、先のブラシ体８をＶ字型に配置したときと同様の拭き掃除および磨き効果を得られる。
【００３８】
【発明の効果】
以上のように、本発明によれば、床吸込具本体の前部で、常態時では本体前壁となっている前カバーを前方に回動し適宜な傾斜角度とすれば、回転ブラシに巻き付けて床磨きをさせるシートの案内トレーとなり、シートが斜めになったりすることなく、正しい姿勢で自動挿入することができる。これによりシートの装着作業が容易になり、また破れたり、先端がくしゃくしゃになったりしないで、回転ブラシに均一かつ確実に巻き付けることができるので、シートを装着した回転ブラシによる床磨き、拭き掃除が効果的に行なわれる。
【００３９】
また本体ケースの前壁にシートを挿入する挿入口を設けることにより、シートはこの挿入口より差し込んで容易に回転ブラシに巻き付けられるようになり、従来のように、シートを回転ブラシの前に置いて装着させる煩わしさがなくなり、効率よく楽に装着できるようになる。また、この挿入口を使用時（回転ブラシに回転中）には、案内トレーを兼ねる前カバーで塞ぐものなので、安全である。
【図面の簡単な説明】
【図１】本発明の一実施形態に係る電気掃除機の床用吸込具の側面図。
【図２】同じく、上面図。
【図３】同じく、シート挿入時の上面図。
【図４】同じく、床用吸込具の縦断面図。
【図５】同じく、床用吸込具のシート挿入時の縦断面図。
【図６】本発明の他の実施形態に係る床用吸込具の縦断面図。
【図７】同じく、シート挿入時の縦断面図。
【図８】床用吸込具の裏面図。
【図９】騒音発生の抑制に有効な形状のシートの平面図。
【図１０】同じく他の実施例に係る騒音発生の抑制に有効な形状のシートの平面図。
【図１１】同じく本発明の他の実施形態に係る巻き付け易い構造のシートの平面図。
【図１２】同じく本発明の他の実施形態に係る巻き付け易い構造のシートの平面図。
【図１３】従来の回転ブラシのブラシ配置形態を示す側面図。
【図１４】上記図１３の回転ブラシの不具合を説明するための側面図。
【図１５】本発明の一実施形態に係る回転ブラシの側面図（Ａ図）とそのうちの１つのブラシ体の正面図（Ｂ図）。
【図１６】上記図１５の回転ブラシのシート巻き付け時の様相を示すブラシ体の側面図。
【図１７】同じく、上記回転ブラシを有する床用吸込具のシート巻き付け時の様相を示す縦断面図。
【図１８】同じく本発明の他の実施形態に係る回転ブラシの側面図。
【図１９】シートの偏り装着防止機能を有した、本発明の他の実施形態に係る回転ブラシの正面図。
【図２０】同じくシートの偏り装着機能を発揮する、本発明の他の実施形態に係る床用吸込具の裏面図。
【符号の説明】
１    床用吸込具
２    吸込具本体ケース
３    回転ブラシ
５    前カバー
６    吸込口
８    ブラシ体
１２    シート
１３  シート挿入口
５ｃ    本体ケース前壁
【図１】
2004229953.tif 000003
【図２】
2004229953.tif 000004
【図３】
2004229953.tif 000005
【図４】
2004229953.tif 000006
【図５】
2004229953.tif 000007
【図６】
2004229953.tif 000008
【図７】
2004229953.tif 000009
【図８】
2004229953.tif 000010
【図９】
2004229953.tif 000011
【図１０】
2004229953.tif 000012
【図１１】
2004229953.tif 000013
【図１２】
2004229953.tif 000014
【図１３】
2004229953.tif 000015
【図１４】
2004229953.tif 000016
【図１５】
2004229953.tif 000017
【図１６】
2004229953.tif 000018
【図１７】
2004229953.tif 000019
【図１８】
2004229953.tif 000020
【図１９】
2004229953.tif 000021
【図２０】
2004229953.tif 000022